(57)【要約】【課題】画素電極及び対向電極間に配置する活性材料を各画素全域に渡って膜厚ばらつきが低減された表示装置を提供する。【解決手段】アレイ基板１０上にマトリクス状に配置された島状の下部電極２６と、前記下部電極２６の行方向に隣接する下部電極２６，２６間に配置され、下部電極２６の列方向に沿って形成される帯状の隔壁２４と、帯状の隔壁２４の側面に沿って形成される溝３４と、下部電極２６上に配置される活性層３０，３２と、活性層３０，３２を挟んで下部電極２６に対向配置される対向電極とを備える。【選択図】      図２
2007128688.tif 000002
【特許請求の範囲】
【請求項１】
基板上にマトリクス状に配置された島状の画素電極と、
前記画素電極の行方向に隣接する前記画素電極間に配置され、前記画素電極の列方向に沿って形成される帯状の隔壁と、
前記帯状の隔壁に沿って形成されるスリットと、
前記画素電極上に配置される活性層と、
前記活性層を挟んで前記画素電極に対向配置される対向電極とを備える
ことを特徴とする表示装置。
【請求項２】
前記スリットは、前記隔壁の側面に形成された溝である
ことを特徴とする請求項１記載の表示装置。
【請求項３】
前記スリットは、前記隔壁の側面と前記画素電極の溝とで構成されている
ことを特徴とする請求項１記載の表示装置。
【請求項４】
前記スリットは、前記隔壁の側面と前記島状の画素電極の列方向の端部とで構成されている
ことを特徴とする請求項１記載の表示装置。
【請求項５】
基板上にマトリクス状に配置された島状の画素電極を形成する工程と、
前記画素電極の行方向に隣接する前記画素電極間に配置されるように前記画素電極の列方向に沿って帯状の隔壁を形成すると共に、前記帯状の隔壁の側面にスリットを形成する工程と、
前記画素電極上に活性層を配置する工程と、
前記活性層を挟んで前記画素電極に対向配置されるように対向電極を形成する工程とを備える
ことを特徴とする表示装置の製造方法。
【請求項６】
基板上にマトリクス状に配置され、かつ、列方向に溝を有する島状の画素電極を形成する工程と、
前記画素電極の行方向に隣接する前記画素電極間に配置されるように前記画素電極の列方向に沿って帯状の隔壁を形成すると共に、前記帯状の隔壁の側面と前記画素電極の溝とでスリットを形成する工程と、
前記画素電極上に活性層を配置する工程と、
前記活性層を挟んで前記画素電極に対向配置されるように対向電極を形成する工程とを備える
ことを特徴とする表示装置の製造方法。
【請求項７】
基板上にマトリクス状に配置された島状の画素電極を形成する工程と、
前記画素電極の行方向に隣接する前記画素電極間に配置されるように前記画素電極の列方向に沿って帯状の隔壁を形成すると共に、前記帯状の隔壁の側面と前記島状の画素電極の列方向の端部とでスリットを形成する工程と、
前記画素電極上に活性層を配置する工程と、
前記活性層を挟んで前記画素電極に対向配置されるように対向電極を形成する工程とを備える
ことを特徴とする表示装置の製造方法。
【発明の詳細な説明】
【技術分野】
【０００１】
本発明は、表示装置に関するものである。
【背景技術】
【０００２】
有機ＥＬ表示装置等のアクティブマトリクス型表示装置は、アレイ基板上に走査線、走査線に直交するように配置された信号線、信号線と走査線との交点付近に配置されたスイッチング素子である画素ＴＦＴ、画素ＴＦＴに接続されマトリクス状に配置された画素などを有し、各画素からの光出力により文字や画像を表示させている。
【０００３】
有機ＥＬ表示装置に用いられる画素は、アレイ基板側に配置される下部電極（陽極）と、下部電極上に配置される発光層と、発光層上に配置される上部電極（陰極）とによって構成される。
【０００４】
このような表示装置において、画素を分離する隔壁をストライプ状に配置した表示装置が開示されている（例えば、特許文献１参照）。
【特許文献１】特開２００３−５９６６０号公報
【発明の開示】
【発明が解決しようとする課題】
【０００５】
上記の表示装置において、発光層はインクジェット方式によって形成され、液体状の発光材料をインクジェットヘッドのノズルから吐出させて下部電極上に滴下し、発光層を形成している。
【０００６】
このような液体状の発光材料を滴下した場合に、画素の平面形状が矩形であるため、液体状の発光材料が画素の角部まで広がらずに、中央部のみ液体状の発光材料が集まり、表示特性が不均一になるという問題点がある。
【０００７】
そこで、本発明は上記問題点に鑑み、画素電極及び対向電極間に配置する活性材料を各画素全域に渡って膜厚ばらつきが低減された表示装置及びその製造方法を提供する。
【課題を解決するための手段】
【０００８】
本発明は、基板上にマトリクス状に配置された島状の画素電極と、前記画素電極の行方向に隣接する前記画素電極間に配置され、前記画素電極の列方向に沿って形成される帯状の隔壁と、前記帯状の隔壁に沿って形成されるスリットと、前記画素電極上に配置される活性層と、前記活性層を挟んで前記画素電極に対向配置される対向電極とを備えることを特徴とする表示装置である。
【０００９】
本発明は、基板上にマトリクス状に配置された島状の画素電極を形成する工程と、前記画素電極の行方向に隣接する前記画素電極間に配置されるように前記画素電極の列方向に沿って帯状の隔壁を形成すると共に、前記帯状の隔壁の側面にスリットを形成する工程と、前記画素電極上に活性層を配置する工程と、前記活性層を挟んで前記画素電極に対向配置されるように対向電極を形成する工程とを備えることを特徴とする表示装置の製造方法である。
【００１０】
本発明は、基板上にマトリクス状に配置され、かつ、列方向に溝を有する島状の画素電極を形成する工程と、前記画素電極の行方向に隣接する前記画素電極間に配置されるように前記画素電極の列方向に沿って帯状の隔壁を形成すると共に、前記帯状の隔壁の側面と前記画素電極の溝とでスリットを形成する工程と、前記画素電極上に活性層を配置する工程と、前記活性層を挟んで前記画素電極に対向配置されるように対向電極を形成する工程とを備えることを特徴とする表示装置の製造方法である。
【００１１】
本発明は、基板上にマトリクス状に配置された島状の画素電極を形成する工程と、前記画素電極の行方向に隣接する前記画素電極間に配置されるように前記画素電極の列方向に沿って帯状の隔壁を形成すると共に、前記帯状の隔壁の側面と前記島状の画素電極の列方向の端部とでスリットを形成する工程と、前記画素電極上に活性層を配置する工程と、前記活性層を挟んで前記画素電極に対向配置されるように対向電極を形成する工程とを備えることを特徴とする表示装置の製造方法である。
【発明の効果】
【００１２】
本発明によれば、画素電極及び対向電極間に配置する活性材料を各画素全域に渡って膜厚ばらつきを低減させることができる。
【発明を実施するための最良の形態】
【００１３】
以下、本発明の第１の実施形態のフルカラー有機ＥＬ表示装置について図１〜図３に基づいて説明する。
【００１４】
図１は、有機ＥＬ表示装置の一部構造を概略的に示す縦断面図であり、ここでは特に一画素分で、かつ、発光層を形成する前のアレイ基板１０の縦断面図を示している。
【００１５】
アレイ基板１０上には、走査線と、この走査線に直交するように配置された信号線と、信号線と走査線との交点付近に配置されたスイッチング素子である画素ＴＦＴと、画素ＴＦＴを介して信号線に接続された駆動トランジスタ１４と、駆動トランジスタ１４より供給される駆動信号に応じて表示動作をする画素をマトリクス状に有している。
【００１６】
図１に示すように、例えばガラス基板でなる支持基板１２上には画素ＴＦＴ（薄膜トランジスタ）、駆動トランジスタ１４等が形成されている。これら画素ＴＦＴ、駆動トランジスタ１４は、支持基板１２上に形成されたポリシリコン半導体層Ｐと、このポリシリコン半導体層Ｐと第１絶縁膜１６を介して配置されたゲート電極Ｇと、第１絶縁膜１６と第２絶縁膜１８を介してポリシリコン半導体層Ｐのソース領域にコンタクトしたソース電極Ｓと、第１絶縁膜１６及び第２絶縁膜１８を介してポリシリコン半導体層Ｐのドレイン領域にコンタクトしたドレイン電極Ｄを備えている。画素ＴＦＴのソース電極には信号線が接続され、ゲート電極には走査線が接続されている。また、駆動トランジスタ１４のゲート電極Ｇには画素ＴＦＴのドレイン電極が接続され、ソース電極Ｓには高電位端子、ドレイン電極Ｄには画素を介して低電位端子が接続される。
【００１７】
画素は、第２絶縁膜１８の上に配置された第３絶縁膜２２の上に配置されている。
【００１８】
各画素は、下部電極（画素電極ともいう）２６と、下部電極２６上に配置され少なくとも発光層を含む活性層３０，３２と、活性層３０，３２を挟んで下部電極（画素電極）２６と対向配置される対向電極とから構成される。
【００１９】
詳しくは、画素の下部電極（ここでは陽極）２６が第３絶縁膜２２の上層にマトリクス状に形成され、第３絶縁膜２２に設けられているコンタクトホール２８によって駆動トランジスタ１４のドレイン電極Ｄと接続されている。下部電極２６は、光透過性導電材料であるＩＴＯ（Ｉｎｄｉｕｍ  Ｔｉｎ  Ｏｘｉｄｅ）で形成されている。
【００２０】
この下部電極２６の上層にはアクリル樹脂よりなる隔壁２４が形成されている。隔壁２４はマトリクス状に配置された画素電極の行方向に隣接する画素配置され、画素電極の列方向に沿って帯状に形成される。図３に示すように行方向に隣接する画素間には配置されず、全体としては、画素の発光色毎に連続するストライプ状に活性層を区画するよう形成される。このアクリル樹脂で形成された隔壁２４を形成するには、ＵＶ光でマスク露光する。ここでは、隔壁２４は、高さ３μｍ、底面の幅３５μｍ、表示エリアの対向辺を結ぶ略台形状に形成される。
【００２１】
また、本実施形態では、下部電極２６の両側からそれぞれ斜めに立ち上がった隔壁２４の側面には、それぞれスリットとして溝３４が帯状の隔壁に沿って設けられている。隔壁２４に溝３４を形成するには、ＵＶ光でマスク露光するときに溝３４に位置する箇所のみマスクを形成せず、ＵＶ光の回り込みで一部露光させて溝３４を形成する。この溝３４を設ける位置は、隔壁２４の高さの１／４〜２／３の間に設定することが好ましい。また、この溝３４の幅は１μｍ〜１０μｍの間に設定することが好ましい。
【００２２】
図２に示すように、隣接する隔壁２４間に位置する画素の下部電極２６の上には、少なくとも発光層を含む活性層が積層されている。この活性層は、下部電極２６に対向配置された上部電極（対向電極）との間に挟持されるものである。ここでは、上部電極は陰極として機能する。この活性層は、ＲＧＢ各色共通に形成されるホール輸送層、エレクトロン輸送層、及び各色毎に形成される有機発光層の多層構造で構成されるか、または、機能的に複合された層構造で構成されている。本実施形態では、ホール輸送層３０と有機発光層３２の二層構造で説明する。
【００２３】
ホール輸送層３０は、芳香族アミン誘導体やポリチオフェン誘導体、ポリアニリン誘導体より形成され、有機発光層は赤（Ｒ）、緑（Ｇ）、青（Ｂ）に発光する有機化合物によって形成されている。この有機発光層３２は、例えば高分子系材料を採用する場合には、ＰＰＶ（ポリパラフェニデンビニデン）やポリフルオレン誘導体またはその前駆体などを積層して構成されている。
【００２４】
このホール輸送層３０と有機発光層３２を形成には、まず、インクジェット方式等の選択塗布法により活性層を構成する活性材料を滴下塗布する。ここでは、ホール輸送層３０を形成する材料を滴下した後、その上に有機発光層３２を形成する材料を滴下する。
【００２５】
この滴下した液状の発光材料が図３に示す平面形状矩形の画素の下部まで均等に広がるようにするために、隔壁２４の両側面に上記した溝３４がそれぞれ設けられている。下部電極２６に液体状の発光材料がインクジェットヘッドのノズル３６から滴下すると図３に示すように、画素の列方向に沿って設けられている溝３４に沿って流れ、平面形状矩形の画素の角部まで均等に広がる。したがって、有機発光層３２の膜厚を均等に形成することができる。
【００２６】
なお、第１の実施形態では隔壁２４にスリットとして溝３４を設けたが、これに限らず隔壁２４に段部を形成しても、同様に液体状材料を膜厚ばらつきが低減された状態で塗布することが可能となる。
【００２７】
第２の実施形態の有機ＥＬ表示装置について図４及び図５に基づいて説明する。
【００２８】
本実施形態と、第１の実施形態の異なる点は、インクジェット方式によりノズル３６から滴下された液体状の活性材料を均等に広げるための構造にある。
【００２９】
本実施形態では、第３絶縁膜２２における画素の周辺縁に対応する位置に列方向に連続する凹み部３８を設け、この凹み部３８が設けられた第３絶縁膜２２の上に下部電極２６を積層する。これによって、各画素列の下部電極２６の両側に沿って一対の溝４０が形成される。そして、この溝４０の位置から隔壁２４が立ち上がるように形成し、溝４０と隔壁２４の側面とで構成されるスリットを配置する。
【００３０】
この状態でインクジェットヘッドのノズル３６からホール輸送層３０を塗布、形成した後有機発光層３２の液体状の発光材料をそれぞれ滴下する。下部電極２６によって形成されている列方向に延びる溝４０に沿って液体状の発光材料が毛細管現象によって広がり、平面形状矩形の画素の角部まで均等に広がり、有機発光層３２の膜厚ばらつきが発生するのを低減できる。
【００３１】
第３の実施形態の有機ＥＬ表示装置について図６及び図７に基づいて説明する。
【００３２】
本実施形態と第２の実施形態の異なる点は、第２の実施形態では第３絶縁膜２２に凹み部３８を設けて、下部電極２６に溝４０を設けたが、本実施形態では第３絶縁膜２２は平らに形成し、各画素列において、島状の下部電極２６の列方向の端部と隔壁側面とを離間配置することにより形成された溝４２をスリットとして配置している。
【００３３】
例えば、図７に示すように下部電極２６をマスク露光で形成するときにマスクを用いて下部電極材料をパターン露光し、島状の下部電極２６と、各画素列の両側に下部電極２６と離間配置され、かつ、列方向に延在するスリットパターン２７とを形成する。これにより、スリットパターン２７端面と島状の下部電極２６端面との間に、列方向に延在形成された溝４２を配置することができる。
【００３４】
上記のようにして溝４２が形成された島状の下部電極２６の上に液体状の発光材料をノズル３６から滴下すると、この一対の溝４２に沿って毛細管現象が働き平面形状矩形の画素の角部まで均等に広がり、膜厚ばらつきの低減された活性層を形成できる。
【００３５】
さらに、スリットパターン２７も各画素列の画素両縁に沿って延在形成されたパターンであるため、スリットとしても機能し、活性材料を塗布した際により一掃膜厚ばらつきの低減された膜状態を得ることができる。
【００３６】
また、上述の効果に加え、選択塗布法にて活性材料を塗布形成する場合にも、ある方向に延在形成されたスリットを設けることにより、各画素全域に渡ってまんべんなく活性材料を配置することが可能となり、画素不良の発生を低減することが可能となる。特に画素面積が増大した場合にも膜の成膜状態の良好な活性層を得ることができる。また、隔壁を帯状に形成し、活性層を各画素列に対応したストライプ状に形成することにより、画素面積を増大させることができる。
【図面の簡単な説明】
【００３７】
【図１】本発明の第１の実施形態のアレイ基板の縦断面図である。
【図２】同じく画素部分の拡大縦断面図である。
【図３】画素の平面図である。
【図４】第２の実施形態の画素の拡大縦断面図である。
【図５】同じく画素の平面図である。
【図６】第３の実施形態の画素の拡大縦断面図である。
【図７】同じく画素の平面図である。
【符号の説明】
【００３８】
１０  アレイ基板
２２  第３絶縁膜
２４  隔壁
２６  下部電極
２８  コンタクトホール
３０  ホール輸送層
３２  有機発光層
３４  溝
３６  ノズル
３８  凹み部
４０  溝
４２  溝
【図１】
2007128688.tif 000003
【図２】
2007128688.tif 000004
【図３】
2007128688.tif 000005
【図４】
2007128688.tif 000006
【図５】
2007128688.tif 000007
【図６】
2007128688.tif 000008
【図７】
2007128688.tif 000009